(57)【要約】【課題】握りバーとタオル掛けバーとが一体的に連結固定された握りバー兼用のタオル掛けバーを提供せんとするものである。【解決手段】起立する握りバー６と水平なタオル掛けバー７とを連結し、握りバー６の端部及びタオル掛けバー７の端部を相手方部材（壁面１０）へ固定する。これにより、握りバー６とタオル掛けバー７とが一体的に連結されることになり、しかも握りバー６の端部及びタオル掛けバー７の端部が相手方部材（壁面１０）へ連結固定されているため、タオル掛けバー７が動いて使用者と干渉する等のことがない。【選択図】　図１
2004121721.tif 000002
【特許請求の範囲】
【請求項１】
起立する握りバーと水平なタオル掛けバーとを連結し、握りバーの端部及びタオル掛けバーの端部を相手方部材へ固定したことを特徴とする握りバー兼用タオル掛け。
【請求項２】
タオル掛けバーとの連結部分から更に上方へ握りバーを伸長したタオルの脱落防止部が設けられている請求項１に記載の握りバー兼用タオル掛け。
【請求項３】
起立する握りバーと水平なタオル掛けバーとを連結し、握りバーの上下部を相手方部材へ固定すると共に、タオル掛けバーの残りの端部を相手方部材へ水平方向斜めに固定したことを特徴とする握りバー兼用タオル掛け。
【請求項４】
握りバーの下端側がカウンターに固定されている請求項１乃至３のいずれか１つに記載の握りバー兼用タオル掛け。
【発明の詳細な説明】
【０００１】
【発明の属する技術分野】
本発明は、トイレや浴室等に設置される握りバーと、タオル掛けバーとを一体的に連結した握りバー兼用のタオル掛けに関するものである。
【０００２】
【従来の技術】
通常、握りバーやタオル掛けは、それぞれが単独で設置されている。図５は握りバー１の一例を示すものであり、特許文献１に記載された従来例である。握りバー１は、例えば、高齢者や身障者が便器本体２側から立ち上がるときに、その補助具として機能するものであり、特許文献１に示す通りである。一方、タオル掛けについては、特許文献２の図１〜図３に示す通りであり、洗面化粧台の幕板の前面に取り付けられている。
ところが、これらの特許文献１及び特許文献２に記載された技術にあっては、それぞれを単独で設置する必要があった。
【０００３】
そのため、従来にあっては、図６に示す特許文献３に記載された技術のように、握りバー３の上下端に回転自在にタオル掛けバー４を取り付け、握りバーとタオル掛けとを兼用するようにしていた。
【０００４】
【特許文献１】
特開２０００−１１６５７３号公報（図１及び図２参照）
【特許文献２】
実開平４−１３８３９４号公報（図１〜図３参照）
【特許文献３】
特開２０００−７０１７４号公報（図１参照）
【０００５】
【発明が解決しようとする課題】
ところが、特許文献３に記載された従来技術にあっては、タオル掛けバー４が回転自在であるため、タオル掛けバー４が室内側へ向いているときに、高齢者や身障者が握りバー３を掴もうとしてタオル掛けバー４に手が引っ掛かったりすることがあり、危険であった。
またタオルを引っ掛けた状態でタオル掛けバー４が室内側を向いているときには、利用者の身体の一部と接触する虞れがあり、危険であると共に、室内空間を狭めるという問題があった。
【０００６】
本発明は従来の前記課題に鑑みてこれを改良除去したものであって、握りバーとタオル掛けバーとが一体的に連結固定された握りバー兼用のタオル掛けバーを提供せんとするものである。
【０００７】
【課題を解決するための手段】
而して、前記課題を解決するために本発明が採用した請求項１の手段は、起立する握りバーと水平なタオル掛けバーとを連結し、握りバーの端部及びタオル掛けバーの端部を相手方部材へ固定したことを特徴とする握りバー兼用タオル掛けである。
握りバーとタオル掛けバーとが一体的に連結されており、しかも握りバーの端部及びタオル掛けバーの端部が相手方部材へ連結されているため、タオル掛けバーが動いて使用者と干渉する等のことがない。
【０００８】
本発明が採用した請求項２の手段は、タオル掛けバーとの連結部分から更に上方へ握りバーを伸長したタオルの脱落防止部が設けられている請求項１に記載の握りバー兼用タオル掛けである。
タオル掛けバーに掛けられたタオルは、脱落防止部に引っ掛かって脱落が防止される。
【０００９】
本発明が採用した請求項３の手段は、起立する握りバーと水平なタオル掛けバーとを連結し、握りバーの上下部を相手方部材へ固定すると共に、タオル掛けバーの残りの端部を相手方部材へ水平方向斜めに固定したことを特徴とする握りバー兼用タオル掛けである。
この発明によれば、握りバーを壁面等の相手方部材から少しだけ離れた位置に取り付け、この握りバーから水平方向斜めにタオル掛けバーを配設して相手方部材へ固定しており、この場合もタオル掛けバーが邪魔にならず、しかも握りバー自体の室内側への突出寸法を抑えることも可能である。
【００１０】
更に、本発明が採用した請求項４の手段は、握りバーの下端側がカウンターに固定されている請求項１乃至３のいずれか１つに記載の握りバー兼用タオル掛けである。
この発明によれば、カウンターに対しても請求項１〜３の発明に係る握りバー兼用タオル掛けを設置することが可能である。
【００１１】
【発明の実施の形態】
以下に、本発明の構成を図面に示す発明の実施の形態に基づいて説明すると次の通りである。図１は本発明の第１の実施の形態に係る握りバー兼用タオル掛け５を示す斜視図である。同図に示す如く、この実施の形態にあっては、起立状態で配設される握りバー６の上端寄りの位置に、水平方向へ配設されるタオル掛けバー７の一端側を図示しないビス等を用いて連結固定している。そして、握りバー６に、前記タオル掛けバー７との連結部分よりも上方へ延設されたタオルの脱落防止部６Ａを設けている。また握りバー６の下端部を有底筒状のブラケット８を介してカウンター９の上面側へ固定し、タオル掛けバー７の残りの端部を同様に有底筒状のブラケット８を介して壁面１０に固定している。
【００１２】
これにより、タオル掛けバー７が室内空間側へ向くということがなくなり、使用者の手や身体の一部と干渉するということがない。しかも、この実施の形態の握りバー兼用タオル掛け５は、握りバー６にタオル掛けバー７との連結部よりも上方へ突出するタオルの脱落防止部６Ａが設けられているので、タオル掛けバー７に掛けられたタオルが不用意に落下するようなことはない。また握りバー６とタオル掛けバー７とが、一体的に取り付けられているので、両者を別々に設ける必要もない。
【００１３】
図２は本発明の第２の実施の形態に係る握りバー兼用タオル掛け１１を示すものであり、図（Ａ）は平面図、図（Ｂ）は正面図である。同図に示す如く、この実施の形態にあっては、起立状態の握りバー１２の上下部を壁面１０及びカウンター９へ固定している。カウンター９への固定は、円筒状のブラケット８を介して行い、壁面１０への固定は握りバー１２を貫通して支持するブラケット１３を介して行っている。
【００１４】
タオル掛けバー１４は、その一端側が握りバー１２の上端面よりも低い位置の側面部において図示しないビス等によりこれに取り付けられている。そして、握りバー１２の他端側は、水平方向斜めに配設され、ブラケット１５に揺動自在に枢支されている。ブラケット１５は、壁面１０に対してビス等により固定されている。
【００１５】
このように構成された握りバー兼用のタオル掛けであれば、握りバー１２を壁面１０から少しだけ離れた位置に取り付けることが可能である。そして、この握りバー１２から水平方向斜めにタオル掛けバー１４を配設して壁面１０へ固定しており、この場合もタオル掛けバー１４が邪魔にならず、しかも握りバー１２自体の室内側への突出量を抑えることが可能である。そのため、この実施の形態の場合は、前記第１の実施の形態よりもタオル掛けバー１４が使用者の手や身体の一部と干渉することがない。また握りバー１２とタオル掛けバー１４とが、一体的に取り付けられているので、両者を別々に設ける必要もない。
【００１６】
なお、本発明は上述した実施例に限定されるものではなく、適宜の変更が可能である。例えば、図２の握りバー兼用タオル掛け１１は、壁面１０に向かって握りバー１２の右側面側にタオル掛けバー１４を連結したが、室内スペースの大きさ如何によっては図３の実線に示すように、握りバー１２の左側面側に連結するようにしてもよい。
【００１７】
また図４の図（Ａ）〜（Ｃ）に示すように、握りバーとタオル掛けバーとは、その形状及び両者の連結位置を適宜変更することが可能である。図（Ａ）に示すものは、起立状態で配設される図１に示す握りバー６の下端側を、湾曲を付けて壁面１０側へ折り曲げ、該握りバー６の端部とタオル掛けバー７の端部とを壁面１０へ固定したものである。
図（Ｂ）に示すものは、図１に示す握りバー６の途中をクランク状に折り曲げたものである。これらの図（Ａ）及び図（Ｂ）に示すタオル掛けのその他の構成並びに作用効果は、図１に示す前記第１の実施の形態の場合と同じである。
一方、図（Ｃ）に示すものは、弓状に湾曲した握りバー１６の上下両端側を壁面１０へ固定すると共に、中間部にタオル掛けバー１７を連結し、タオル掛けバー１７の端部を壁面１０へ固定したものである。
【００１８】
【発明の効果】
以上説明したように本発明にあっては、起立する握りバーと水平なタオル掛けバーとを連結し、握りバーの端部及びタオル掛けバーの端部を相手方部材へ固定したから、タオル掛けバーが動いて使用者と干渉する等のことがない。また握りバーとタオル掛けバーとを別々に製作して施工する必要がない。
【００１９】
また本発明にあっては、タオル掛けバーとの連結部分から更に上方へ握りバーを伸長したタオルの脱落防止部を設けたから、タオル掛けバーに掛けられたタオルは、脱落防止部に引っ掛かって脱落が防止される。
【００２０】
更に、本発明にあっては、起立する握りバーと水平なタオル掛けバーとを連結し、握りバーの上下部を相手方部材へ固定すると共に、タオル掛けバーの残りの端部を相手方部材へ水平方向斜めに固定したから、タオル掛けバーが邪魔にならず、しかも握りバー自体の室内側への突出寸法を抑えることも可能である。
【００２１】
更にまた、本発明にあっては、握りバーの下端側をカウンターに固定するようにしたから、カウンターに対しても握りバー兼用のタオル掛けを設置することが可能である。
【図面の簡単な説明】
【図１】本発明の第１の実施の形態の握りバー兼用タオル掛けを示す斜視図である。
【図２】本発明の第２の実施の形態に係る握りバー兼用タオル掛けを示すものであり、図（Ａ）は平面図、図（Ｂ）は正面図である。
【図３】本発明の第２の実施の形態に係る握りバー兼用タオル掛けの変形例を示す斜視図である。
【図４】図（Ａ）〜図（Ｃ）は、それぞれ本発明の第１の実施の形態に係る握りバー兼用タオル掛けの変形例を示す側面図である。
【図５】特許文献１に記載された従来技術を示す斜視図である。
【図６】特許文献３に記載された従来技術を示す斜視図である。
【符号の説明】
５…握りバー兼用タオル掛け、６…握りバー、６Ａ…脱落防止部、７…タオル掛けバー、８…ブラケット、９…カウンター、１０…壁面、１１…握りバー兼用タオル掛け、１２…握りバー、１３…ブラケット、１４…タオル掛けバー、
１５…ブラケット、１６…握りバー、１７…タオル掛け
【図１】
2004121721.tif 000003
【図２】
2004121721.tif 000004
【図３】
2004121721.tif 000005
【図４】
2004121721.tif 000006
【図５】
2004121721.tif 000007
【図６】
2004121721.tif 000008